(57)【要約】      （修正有）【課題】２回目のリフロー半田付け工程の過程で、該ＬＧＡ電気コネクタの重心が偏心することで導電端子の錫ボールが回路基板から外れるとともに該ＬＧＡ電気コネクタが回路基板に対して傾くことを防止でき、該ＬＧＡ電気コネクタと回路基板との間に安定した接続が保証できるＬＧＡ電気コネクを提供する。【解決手段】本考案の電気コネクタ１０は、取付面を備える絶縁ハウジング１１と、該絶縁ハウジング内に装着され、前記取付面に延出した第１錫ボールが設けられる複数の導電端子１２と、前記絶縁ハウジングに組み付けられ、ベース１３１を備える固定装置１３とを含み、前記ベースには複数の金属突部１４が回路基板に向けて突設され、該金属突部に前記第１錫ボールより大きくかつ前記第１錫ボールと同一平面で回路基板に接続できる第２錫ボールが設けられる。【選択図】図１
0003107940.tif 000002
【実用新案登録請求の範囲】
【請求項１】
複数の導電端子が装着される絶縁ハウジングと、
前記絶縁ハウジングに組み付けられ、底部と該底部の側縁から上に向けて延出する側壁を含むベースを備える固定装置と
を含み、
前記ベースには、複数の金属突部が回路基板に向けて突設され、該金属突部が前記導電端子と同一平面で回路基板に接続できることを特徴とする中央処理装置と回路基板とを電気的に接続するＬＧＡ電気コネクタ。
【請求項２】
前記金属突部は前記ベースと一体に形成されることを特徴とする請求項１記載のＬＧＡ電気コネクタ。
【請求項３】
前記各金属突部はお互いに離れて設置されることを特徴とする請求項２記載のＬＧＡ電気コネクタ。
【請求項４】
前記金属突部は前記ベースの底部から延出されることを特徴とする請求項３記載のＬＧＡ電気コネクタ。
【請求項５】
前記金属突部は前記ベースの側壁から延出されることを特徴とする請求項３記載のＬＧＡ電気コネクタ。
【請求項６】
前記導電端子に第１錫ボールが設けられ、前記金属突部に第２錫ボールが設けられ、該第２錫ボールが前記第１錫ボールより大きいことを特徴とする請求項４或いは５記載のＬＧＡ電気コネクタ。
【請求項７】
前記金属突部は前記ベースに固定されることを特徴とする請求項１記載のＬＧＡ電気コネクタ。
【請求項８】
前記各金属突部はお互いに離れて設置されることを特徴とする請求項７記載のＬＧＡ電気コネクタ。
【請求項９】
前記金属突部は前記ベースの底部に固定されることを特徴とする請求項８記載のＬＧＡ電気コネクタ。
【請求項１０】
前記金属突部は前記ベースの側壁に固定されることを特徴とする請求項８記載のＬＧＡ電気コネクタ。
【請求項１１】
中央処理装置を支持する対接面と回路基板に接続する取付面と該対接面及び取付面を貫設して形成される複数の収容溝とを含む絶縁ハウジングと、
前記絶縁ハウジングの収容溝内に装着され、前記取付面に延出した第１錫ボールがそれぞれ設けられる導電端子と、
前記絶縁ハウジングの外側に組み付けられ、底部と該底部の側縁から上に向けて延出する側壁を含むベースを備える固定装置と
を含み、
前記ベースには、複数の金属突部が回路基板に向けて突設され、該金属突部には、前記第１ボールより大きく且つ前記第１錫ボールと同一平面で回路基板に接続できる第２錫ボールが設けられることを特徴とする中央処理装置と回路基板とを電気的に接続するＬＧＡ電気コネクタ。
【請求項１２】
前記金属突部は前記ベースと一体に形成されることを特徴とする請求項１１記載のＬＧＡ電気コネクタ。
【請求項１３】
前記各金属突部はお互いに離れて設置されることを特徴とする請求項１２記載のＬＧＡ電気コネクタ。
【請求項１４】
前記金属突部は前記ベースの底部から延出されることを特徴とする請求項１３記載のＬＧＡ電気コネクタ。
【請求項１５】
前記金属突部は前記ベースの側壁から延出されることを特徴とする請求項１３記載のＬＧＡ電気コネクタ。
【請求項１６】
前記金属突部は前記ベースに固定されることを特徴とする請求項１１記載のＬＧＡ電気コネクタ。
【請求項１７】
前記各金属突部はお互いに離れて設置されることを特徴とする請求項１６記載のＬＧＡ電気コネクタ。
【請求項１８】
前記金属突部は前記ベースの底部に固定されることを特徴とする請求項１７記載のＬＧＡ電気コネクタ。
【請求項１９】
前記金属突部は前記ベースの側壁に固定されることを特徴とする請求項１７記載のＬＧＡ電気コネクタ。
【考案の詳細な説明】
【技術分野】
【０００１】
本考案は、電気コネクタに関し、特に固定装置を有するＬＧＡ電気コネクタに関するものである。
【背景技術】
【０００２】
相関する従来の技術である特許文献１と特許文献２を参照すると、該ＬＧＡ電気コネクタは、基本的に、絶縁ハウジングと、該絶縁ハウジング内に収容される複数の導電端子とを含んでいる。該絶縁ハウジングは、中央処理装置を支持する第１面と回路基板を接続する第２面と、前記第１面と第２面とを貫設する複数の収容溝とを備える。前記導電端子は、前記収容溝内にそれぞれ収容され、その一端が錫ボールにより回路基板に熔融し固着され、その他端が中央処理装置の導電パッドに弾性的に押圧される。そこで、該電気コネクタは、中央処理装置が前記絶縁ハウジングに固着させられ、更に該絶縁ハウジングに収容された前記導電端子と中央処理装置との間に電気的に安定した接続を達成するために、固定装置を有することが必要である（例えば、特許文献１と特許文献２参照）。
【０００３】
以下、図５ないし図７により従来のＬＧＡ電気コネクタについて説明する。従来のＬＧＡ電気コネクタ１は、絶縁ハウジング１５と、該絶縁ハウジング１５内に複数の導電端子１６と、該絶縁ハウジング１５の外側を包囲する固定装置１７とを含んでいる。該固定装置１７は、前記絶縁ハウジング１５を内部に設置する基体１７０と、該基体１７０の相対する両側辺１７０１、１７０２にそれぞれ回動可能に保持される押圧板１７１及び作動アーム１７２とを備える。その中の押圧板１７１の相対する両側縁１７１１には、前記中央処理装置２を押圧する圧着部１７１２が形成される。
【０００４】
取付ける時、先に、押圧板１７１及び作動アーム１７２を開放位置に至るまで回動してから、前記中央処理装置２を絶縁ハウジング１５に設置し、前記作動アーム１７２を回動することにより、前記中央処理装置２は圧着部１７１２によって下方向に向けて押圧される。前記押圧板１７１及び作動アーム１７２が係合位置に位置した時に、前記絶縁ハウジング１５内に収容さたれた導電端子１６は前記中央処理装置２の導電パッド（図示せず）と接触させられ、更に、前記中央処理装置２と回路基板４との間に電気的な接続を達成できる。
【０００５】
しかしながら、該従来のＬＧＡ電気コネクタは以下の欠点がある。図７に示すように、回路基板４は、一般に２回目のリフロー半田付け工程を通じて、該ＬＧＡ電気コネクタ１の一側に電子部材を取付けられる。２回目のリフロー半田付け工程の過程中で、前記回路基板４に取付けられたＬＧＡ電気コネクタ１は、回路基板４の下方向に掛けられ、ただ前記導電端子１６に植設された錫ボール１６０により、前記回路基板４に接続されている。環境の温度が高まることに従って、前記錫ボールが軟らかく熔融することになる。
【０００６】
その時、前記ＬＧＡ電気コネクタ１は、前記熔融した錫ボール１６０の表面の伸張力により前記回路基板４に接続されている。けれども、固定装置１７が設置されるので、該ＬＧＡ電気コネクタ１の重心が中心と偏心することになり、該ＬＧＡ電気コネクタ１が前記回路基板４に対して転倒することがある。こうして、該ＬＧＡ電気コネクタ1の重い端に位置した導電端子１６の錫ボール１６０が前記回路基板４から外れるとともに、前記ＬＧＡ電気コネクタ１が回路基板４に対して傾くので、該ＬＧＡ電気コネクタ１と該回路基板４の間の電気的な接続が悪くなる。
【０００７】
また、前記従来のＬＧＡ電気コネクタ１では、一般に中央処理装置２が高速運転により生じた熱量を放熱するのに使用される放熱装置３が、前記回路基板４と平行な方向に設置されるため、該ＬＧＡ電気コネクタ１が前記回路基板４に対して傾いた時に、該ＬＧＡ電気コネクタ１に設置された放熱装置３も前記回路基板４に対して傾いく。そこで、放熱装置３の底面３０は傾いた中央処理装置２の頂面２０と十分に接続できず、さらに、放熱装置３の放熱効果が影響される。
【０００８】
そこで、前記従来のＬＧＡ電気コネクタの欠点を改良した新型のＬＧＡ電気コネクタを開発する必要がある。
【特許文献１】台湾実用新案公報第５５５２１２号
【特許文献２】台湾実用新案公報第５４９６４４号
【考案の開示】
【考案が解決しようとする課題】
【０００９】
本考案は、２回目のリフロー半田付け工程の過程で、該ＬＧＡ電気コネクタの重心が偏心することで導電端子の錫ボールが回路基板から外れるとともに該ＬＧＡ電気コネクタが回路基板に対して傾くことを防止でき、該ＬＧＡ電気コネクタと回路基板との間に安定した接続を保証できるＬＧＡ電気コネクを提供することを目的とする。
また、良い放熱効果を有した放熱装置が設置されるＬＧＡ電気コネクタを提供することをその他の目的とする。
【課題を解決するための手段】
【００１０】
前記目的を達成するために、本考案のＬＧＡ電気コネクタは、絶縁ハウジングと、該絶縁ハウジング内に装着される複数の導電端子と、前記絶縁ハウジングの外側に組付けられる固定装置とを備える。前記絶縁ハウジングは、中央処理装置を支持する対接面と、回路基板に接続する取付面と、該対接面及び取付面を貫設して形成される複数の収容溝とを含む。前記導電端子は、前記絶縁ハウジングの収容溝に装着され、前記取付面に延出した第１錫ボールがそれぞれ設けられる。前記固定装置は、ベースと、ベースの側壁に回動可能に支持される押圧カバーと、作動アームとを含み、前記ベースに複数の金属突部が回路基板に向けて突設され、該金属突部と回路基板の間の接触面積が、前記第１錫ボールと回路基板との間の接触面積より大きく、かつ、該金属突部が前記第１錫ボールと同一平面で回路基板に接続できる。
【考案の効果】
【００１１】
従来の技術に比べると、本考案は以下の長所がある。固定装置のベースには、複数の金属突部が回路基板に向けて突設され、該金属突部が導電端子の第１錫ボールと回路基板に同一平面で接続されることにより、ＬＧＡ電気コネクタと回路基板との間の接触力が増える。こうして、２回目のリフロー半田付け工程の過程で、ＬＧＡ電気コネクタの重心が偏心することで前記第１錫ボールが前記回路基板から外れることを防止でき、且つ、該ＬＧＡ電気コネクタが前記回路基板に対して転倒または傾くことも防止できる。
【考案を実施するための最良の形態】
【００１２】
図１〜図４を参照すると、本考案のＬＧＡ電気コネクタは、中央処理装置２０と回路基板３０との間の電気的な接続に使用され、絶縁ハウジング１１と、該絶縁ハウジング１１内に収容される複数の導電端子１２と、該絶縁ハウジング１１の外側を包囲する固定装置１３とを含んでいる。
【００１３】
前記絶縁ハウジング１１は、長方形の平板状構造で、該絶縁ハウジング１１の中央に位置した導電部１１０と、該絶縁ハウジング１１の側壁から突設した位置決め塊１１１とを備える。前記導電部１１０は、前記中央処理装置２０を支持する対接面１１０１と、前記回路基板３０と接続する取付面１１０２と、該対接面１１０１及び取付面１１０２とを貫設した複数の収容溝１１０３とを含んでいる。
【００１４】
前記導電端子１２は、前記絶縁ハウジング１１の収容溝１１０３内に装着され、一端が前記対接面１１０１に延出されて、前記中央処理装置２０の対応した導電パッド（図示せず）と接続され、他端が取付面１１０２に延出した第１錫ボール１２０により前記回路基板３０の対応した半田付け部（図示せず）に半田付けされる。
【００１５】
前記固定装置１３は、金属材料からなり、前記絶縁ハウジング１１を収容し保持するベース１３１と、該ベース１３１に回動可能に支持される押圧カバー１３２及び作動アーム１３３と、該ベース１３１から回路基板３０に向けて延出される複数の金属材料からなる金属突部１４とを含んでいる。
【００１６】
前記ベース１３１は、枠体の構造であって、底部１３４と、該底部１３４の側縁から上方向に向けて延出する前壁１３５及び後壁１３６と、該前壁１３５と後壁１３６と連接する一対の側壁１３７とを備える。
【００１７】
前記前壁１３５には一対のブロック部１３５１が設けられ、前記後壁１３６には一対の曲がった係合片１３６１が設けられ、その中の係合片１３６１の一端に固定片１３６２が曲がり延出して形成される。前記両側壁１３７に、前記後壁１３６に向けて延出される凸部１３７１と弧状の延伸片１３７２とが形成される。該ベース１３１は、前記前壁１３５及び後壁１３６に連接している底部１３４に、前記絶縁ハウジング１１の位置決め塊１１１が装着される凹部１３４１がそれぞれ形成される。
【００１８】
前記押圧カバー１３２は、内部が空けられた矩形の構造で、前辺１３２０と、後辺１３２２と、該前辺１３２０及び後辺１３２２を連接する一対の両側辺１３２５とを備える。前記前辺１３２０には前記一対のブロック部１３５１に回動可能に支持される弧状の一対の係合部１３２４が形成され、該一対の係合部１３２４の間に位置決め部１３２３が設けられる。
【００１９】
該押圧カバー１３２が、前記ブロック部１３５１に回動可能に支持される係合部１３２４により、前記ベース１３１の前壁１３５に回動可能に支持される。前記後辺１３２２の中間に延出部１３２１が設けられ、前記両側辺１３２５が弧状を呈し、その底面（記号なし）の中央に前記絶縁ハウジング１１に向けて弧状の圧接部１３２６が形成される。
【００２０】
前記作動アーム１３３は、細長い金属棒から曲げて形成され、前記ベース１３１の係合片１３６１、固定片１３６２及び凸部１３７１により、該ベース１３１に回動可能に支持され、さらに、前記ベース１３１の延伸片１３７２を通じて該ベース１３１に係合されている。該作動アーム１３３は、作動部１３３１と、該作動部１３３１に直交した固定部１３３３と、該作動部１３３の末端から外に向けて曲がり延出される手柄１３３２と、前記固定部１３３３の中間に突設して形成され、前記延出部１３２１に係合される加圧部１３３４とを含んでいる。
【００２１】
図３及び図４を参照すると、前記ベース１３１の回路基板３０に相対する側には、お互いに離れ且つ前記ベース１３１と一体に形成される複数の金属突部１４が設けられ、各金属突部１４の底面１４０は同一平面に位置している。該金属突部１４と前記回路基板３０との間の半田効果を増やすために、該金属突部１４の底面１４０に第２錫ボール１４１が設けられ、該第２錫ボール１４１と回路基板３０との半田面積は第１錫ボール１２０と回路基板３０との半田面積より大きく、且つ、該第１錫ボール１２０及び第２錫ボール１４１が前記回路基板３０の対応する半田パッド（図示せず）に同一平面で半田付けされる。
【００２２】
半田付けする時に、前記第２錫ボール１４１と第１錫ボール１２０とは、同時に前記回路基板３０の対応する半田パッドに押圧され、且つ熱されて熔融した過程と冷却されて凝固した過程を通じて、該金属突部１４及び導電端子１２を回路基板３０に接続させる。さらに、該ＬＧＡ電気コネクタ１０と回路基板３０との間に電気的な接続を達成できる。
【００２３】
前記図１及び図２に示すように、該ＬＧＡ電気コネクタ１０を取付ける過程は以下のように、先に、前記押圧カバー１３２と作動アーム１３３が固定装置１３のベース１３１の前壁１３５及び後壁１３６にそれぞれ回動可動に支持され、該押圧カバー１３２及び作動アーム１３３を前記ベース１３１から離れる開放位置に至るまで回動させる。次に、前記絶縁ハウジング１１の位置決め塊１１１が前記ベース１３１の底部１３４に係合することにより、該絶縁ハウジング１１が固定装置１３内に固着され、同時にベース１３１の前壁１３５、後壁１３６及び側壁１３７が該絶縁ハウジング１１の外側をそれぞれ包囲する。
【００２４】
半田付けする時には、前記導電端子１２に設けられた第１錫ボール１２０と金属突部１４の底面１４０に設けられた第２錫ボール１４１とを前記回路基板３０の対応した半田パッドに位置させ、環境の温度がこれらの錫ボールの熔融に要求される温度を満足した際、前記第１錫ボール１２０及び第２錫ボールが熔融されることで、該ＬＧＡ電気コネクタ１０が沈み始めて、該ＬＧＡ電気コネクタ１０が所定の距離沈んでから、各金属突部１４の底面１４０が回路基板３０に同時に押圧されることにより、ＬＧＡ電気コネクタ１０の沈みが止められる。
【００２５】
半田付けした時に、熔融された第１錫ボール１２０と第２錫ボール１４１とは、冷却されて凝固し、かつ回路基板３０の対応した半田パッドに十分に半田付けされることにより、該ＬＧＡ電気コネクタ１０が回路基板３０に平行に装着される。
【００２６】
図４に示すように、２回目のリフロー半田付け工程の過程中で、前記回路基板３０のＬＧＡ電気コネクタ１０が装着された一側に相対した他側（記号なし）に、電子部材（図示せず）を取り付ける際、回路基板３０に装着されたＬＧＡ電気コネクタ１０は、該回路基板３０の下方に掛けられている。環境の温度が高められるにつれて、前記ＬＧＡ電気コネクタ１０及び回路基板３０を連接した第１錫ボール１２０と第２錫ボール１４１は、軟らかくなって熔融するが、該第２錫ボール１４１と前記回路基板３０との間の接触面積が大きく且つ十分に半田付けしたことで、該第２錫ボール１４１の表面の伸張力により、前記ＬＧＡ電気コネクタ１０と回路基板３０との間の連接した状態が維持される。
【００２７】
こうして、該ＬＧＡ電気コネクタ１０と回路基板３０との接触力が増え、該ＬＧＡ電気コネクタ１０の重心が偏心することで前記第１錫ボール１２０が前記回路基板３０から外れることを防止でき、且つ、該ＬＧＡ電気コネクタ１０が前記回路基板３０に対して転倒または傾くことも防止できる。さらに、該ＬＧＡ電気コネクタ１０は前記回路基板３０に平行に装着されることを保証できる。
【００２８】
前記中央処理装置２０が該ＬＧＡ電気コネクタ１０内に取り付けられた際、該中央処理装置２０の頂面２０１が前記回路基板３０と平行な方向に設置されることで、該回路基板３０と平行な方向に取り付けられた放熱装置４０の底面４０１は、該中央処理装置２０の頂面２０１に十分に接触できる。さらに、該放熱装置４０の放熱効果が保証される。
【００２９】
また、本考案の金属突部１４は、前記固定装置１３のベース１３１と一体に形成される以外にも、半田手段などを通じて前記固定装置１３のベース１３１に固定されてもいい。その他、該金属突部１４は前記ベース１３１の側壁１３７から回路基板３０に向けて突設されてもいい。
【００３０】
以上本考案について最良の実施の形態を参照して詳細に説明したが、実施形態はあくまでも例示的なものであり、これらに限定されるものではない。また前記の説明は、本考案に基づきなしうる細部の修正或は変更など、いずれも本考案の請求範囲に属するものとする。
【産業上の利用可能性】
【００３１】
本考案は、電気コネクタに関し、特に固定装置を有するＬＧＡ電気コネクタに関するものである。
【図面の簡単な説明】
【００３２】
【図１】本考案に係るＬＧＡ電気コネクタの分解斜視図である。
【図２】本考案に係るＬＧＡ電気コネクタの組立斜視図である。
【図３】本考案に係るＬＧＡ電気コネクタの固定装置のベースの底面図である。
【図４】本考案に係るＬＧＡ電気コネクタと回路基板と中央処理装置と放熱装置とを組み付けた後の側面図である。
【図５】従来のＬＧＡ電気コネクタの分解斜視図である。
【図６】図５に示す従来のＬＧＡ電気コネクタの組立斜視図である。
【図７】図６に示す従来のＬＧＡ電気コネクタと回路基板と中央処理装置と放熱装置とを組み付けた後の側面図である。
【符号の説明】
【００３３】
１、１０  ＬＧＡ電気コネクタ
２、２０  中央処理装置
３、４０  放熱装置
４、３０  回路基板
１１、１５  絶縁ハウジング
１２、１６  導電端子
１３、１７  固定装置
１４  金属突部
１１０  導電部
１１１  位置決め塊
１２０  第１錫ボール
１３１  ベース
１３２  押圧カバー
１３３、１７２  作動アーム
１３４  底部
１３５  前壁
１３６  後壁
１３７  側壁
１４０  底面
１４１  第２錫ボール
１６０  錫ボール
１７０  基体
１７１  押圧板
１１０１  対接面
１１０２  取付面
１１０３  収容溝
１３４１  凹部
１３２０  前辺
１３２１  延出部
１３２２  後辺
１３２３  位置決め部
１３２４  係合部
１３２５、１７０１、１７０２  側辺
１３２６  圧接部
１３３１  作動部
１３３２  手柄
１３３３  固定部
１３３４  加圧部
１３５１  ブロック部
１３６１  係合片
１３６２  固定片
１３７１  凸部
１３７２  延伸片
１７１１  側縁
１７１２  圧着部
【図１】
0003107940.tif 000003
【図２】
0003107940.tif 000004
【図３】
0003107940.tif 000005
【図４】
0003107940.tif 000006
【図５】
0003107940.tif 000007
【図６】
0003107940.tif 000008
【図７】
0003107940.tif 000009